(57)【要約】【課題】足で踏んで操作したり屈んで手で操作したりせず、開き戸を全開位置で押し引きするだけで簡単に操作できる戸当りを提供する。【解決手段】開き戸を押し込むと、掛止受具２０で可動ピース３０を付勢ばね４５に抗し奥側に後退させて裏蓋１９に押し当て、第２係合部３５ｂを第１突起５５に係合して板カム３５を傾動し、第１係合部３５ａがカム係合溝部５０ｂに向いた傾き状態にする一方、カム穴６０に通した支軸２９の支持高さに応じ、カムレバー４０が下段の高さ位置に下降し、次いで、すぐに開き戸を引き戻すと、可動ピースが付勢ばねで押し戻され、第１係合部がカム係合溝部に係合して傾動し、第２係合部がカム当接溝部５０ｃに当接して板カムを両溝側壁間に引っ掛ったロック状態にして可動ピースを固持し、他方、開き戸の引き戻しに従い、移動する途中で掛止受具上に乗ったカムレバーのフック部が係合穴１６に係合して開き戸をロックする。【選択図】          図１
2010101075.tif 000002
【特許請求の範囲】
【請求項１】
先端部に係合穴を有した磁性体からなる掛止受具を、開き戸の全開位置で床面に固定した取付座に基端部を枢支して揺動自在に取り付け、開き戸が全開したとき、開き戸の下部に固定したロック装置に備える磁石で前記掛止受具を吸着して開き戸をロックする戸当りであって、
前記ロック装置は、
開き戸に固定する後端部と反対側の前端部に、全開時に前記磁石で吸着した前記掛止受具の先端部が差し込まれる差込口を設け、底部上には長さ方向にカム案内溝を凹設してなるガイドケースと、
該ガイドケース内に前記カム案内溝の長さ方向前後に進退自在に配設し、下部に板カムを回転自在に枢支して前記カム案内溝に係合させる可動ピースと、
該可動ピースの上部に連結してなり、先端に前記掛止受具の係合穴と係合するフック部を突設する一方、該フック部側の下段穴部と該下段穴部に対して上方に有する基端側の上段穴部とその間を結ぶ傾斜穴部からなるカム穴を長さ方向に穿設し、該カム穴に通して移動自在の支軸で支持する支持高さに応じ、上下に昇降自在に配設してなるカムレバーと、
前記可動ピースを手前の前記差込口側に向けて付勢する付勢ばねと、を備え、
前記板カムには、長さ方向一端に第１係合部を設け、反対側の他端に第２係合部を設ける一方、
前記カム案内溝には、前記付勢ばねで長さ方向前方の前溝壁に押し当った前記板カムを嵌め込んで前記可動ピースをロック待機位置で保持するカム嵌合溝部と、該カム嵌合溝部の長さ方向後方で溝側壁の一側に、前記板カムの第１係合部が係合して係合地点を支点に該板カムを傾動させるカム係合溝部を設け、前記溝側壁の他側には、前記板カムが前記カム係合溝部を支点に傾動したとき、前記第２係合部が当接して前記板カムを前記第１係合部とでロック状態にして前記可動ピースをロック位置に固持するカム当接溝部を設け、
前記ガイドケースには、後端部に、前記板カムの第２係合部が係合して係合地点を支点に該板カムを傾動させる第１ガイド突起を、前記カム案内溝に向けて突設すると共に、前記板カムの一方側縁が前記第１ガイド突起と共に当接して該板カムを前記カム案内溝の溝幅方向と平行で真っ直ぐな状態に保持する第２突起を、前記第１突起の横で前記カム案内溝に向けて突設してなることを特徴とする、戸当り。
【請求項２】
前記板カムは、長さ方向両端をＶ形の凹状に切り欠いて一端に前記第１係合部を形成する一方、他端に前記第２係合部を形成してなることを特徴とする、請求項１に記載の戸当り。
【請求項３】
前記第１突起は、先端縁に、前記板カムの第２係合部が係合すると、該板カムが傾く向きに突出長さを次第に短くしてテーパ部分を形成してなることを特徴とする、請求項１又は２に記載の戸当り。
【発明の詳細な説明】
【技術分野】
【０００１】
本発明は、床面に揺動自在に設置した磁性体の掛止受具を、開き戸の下部に設置したロック装置に備える磁石で吸着して開き戸を全開位置にロックする戸当りに関する。
【背景技術】
【０００２】
一般に、戸当りには、それが床面から突出した構造であると、出っ張った戸当りに誤って蹴つまずいて怪我をいたり、家具等の移動や床掃除の邪魔になったり、美観上も好ましくないという問題があった。
【０００３】
そこで、従来の戸当りの中には、例えば図１０および図１１に示すように、先端部に係止穴１ａを有する磁性体の金属プレート１を、床面２に固定した台座３に基端部を枢支して揺動自在に連結する一方、開き戸４の下部にロック装置５を固定し、ロック装置５のケース５ａ内に磁石６を取り付けると共に、プレート１の係止穴１ａに係止させるストッパ７および該ストッパ７の操作ボタン８を、圧縮コイルばね９を介して上下動可能に収納保持する構造とし、使用時は、足や手で操作ボタン８を押し下げてストッパ７を下方のロック高さ位置に突出させてから、開き戸４が全開位置に至ると、磁石６でプレート１を吸着して係止穴１ａにストッパ７の下端７ａを係止し、開き戸４を全開位置にロックする一方、その後にロックを解除するときは、再び足や手で操作ボタン８を押し下げると、ストッパ７のロックが外れてロック高さ位置から上昇し、その下端７ａが係止穴１ａから外れて開き戸４のロックが解除される構造にしたものがある（特許文献１参照）。
【特許文献１】特開２００８−１９０３１４号公報
【特許文献２】特開２００７−２９７７７０号公報
【発明の開示】
【発明が解決しようとする課題】
【０００４】
ところが、従来の戸当りでは、開き戸４を全開位置でロックしたり解除したりするために、例えば足で操作ボタン８を操作するとき、その都度、いちいち小さな操作ボタン８を離れた上方から踏まなければならず、これでは、操作が面倒であるだけでなく、年配者等にとっては難しく手間のかかる操作であるため、負担であるという課題がある。また、手で操作ボタン８を操作するときは、その都度、いちいち屈んでから指で操作ボタン８を押し下げる操作をしなければならず、これでは、年配者に限らず、操作者にとって操作が面倒で負担であるという課題がある。しかも、戸当りは、通常、開き戸の全開位置、即ち、壁などに接近した位置で、床面に台座３やプレート１を設置することが不可欠であるため、操作時に壁などが障害になり、足で離れた上方から操作ボタン８を踏んだり、屈んで指で操作ボタン８を押したりする操作が更に困難であるという課題があった。
【０００５】
そこで、本発明の目的は、足で踏んで操作したり屈んで手で操作したりせず、開き戸を全開位置で押し引きするだけで簡単に操作できる戸当りを提供することにある。
【課題を解決するための手段】
【０００６】
請求項１に記載の発明は、たとえば以下に示す図示実施の形態のとおり、先端部２０ａに係合穴１６を有した磁性体からなる掛止受具２０を、開き戸Ｄの全開位置で床面ｆに固定した取付座１５に基端部を枢支して揺動自在に取り付け、開き戸Ｄが全開したとき、開き戸Ｄの下部に固定したロック装置Ｒに備える磁石ｍで前記掛止受具２０を吸着して開き戸Ｄをロックする戸当りであって、前記ロック装置Ｒは、開き戸Ｄに固定する後端部と反対側の前端部に、全開時に前記磁石ｍで吸着した前記掛止受具２０の先端部２０ａが差し込まれる差込口２３を設け、底部１８ｃ上には長さ方向にカム案内溝５０を凹設してなるガイドケース２５と、該ガイドケース２５内に前記カム案内溝５０の長さ方向前後に進退自在に配設し、下部に板カム３５を回転自在に枢支して前記カム案内溝５０に係合させてなる可動ピース３０と、該可動ピース３０の上部に連結してなり、先端に前記掛止受具２０の係合穴１６と係合するフック部４０ａを突設する一方、該フック部４０ａ側の下段穴部６０ａと該下段穴部６０ａに対して上方に有する基端側の上段穴部６０ｂとその間を結ぶ傾斜穴部６０ｃからなるカム穴６０を長さ方向に穿設し、該カム穴６０に通して移動自在の支軸２９で支持する支持高さに応じ、上下に昇降自在に配設してなるカムレバー４０と、前記可動ピース３０を手前の前記差込口２３側に向けて付勢する付勢ばね４５と、を備え、前記板カム３５には、長さ方向一端に第１係合部３５ａを設け、反対側の他端に第２係合部３５ｂを設ける一方、前記カム案内溝５０には、前記付勢ばね４５で長さ方向前方の前溝壁に押し当った前記板カム３５を嵌め込んで前記可動ピース３０をロック待機位置で保持するカム嵌合溝部５０ａと、該カム嵌合溝部５０ａの長さ方向後方で溝側壁の一側に、前記板カム３５の第１係合部３５ａが係合して係合地点を支点に該板カム３５を傾動させるカム係合溝部５０ｂを設け、前記溝側壁の他側には、前記板カム３５が前記カム係合溝部５０ｂを支点に傾動したときに前記第２係合部３５ｂが当接して前記板カム３５を前記第１係合部３５ａとでロック状態にして前記可動ピース３０をロック位置に固持するカム当接溝部５０ｃを設け、前記ガイドケース２５には、後端部に、前記板カム３５の第２係合部３５ｂが係合して係合地点を支点に該板カム３５を傾動させる第１ガイド突起５５を、前記カム案内溝５０に向けて突設すると共に、前記板カム３５の一方側縁３５ｃが前記第１ガイド突起５５と共に当接して該板カム３５を前記カム案内溝５０の溝幅方向と平行な真っ直ぐな状態に保持する第２突起５６を、前記第１突起５５の横で前記カム案内溝５０に向けて突設してなることを特徴とする。
【０００７】
請求項２に記載の発明は、請求項１に記載の戸当りにおいて、たとえば以下に示す図示実施の形態のとおり、前記板カム３５は、長さ方向両端をＶ形の凹状に切り欠いて一端に前記第１係合部３５ａを形成する一方、他端に前記第２係合部３５ｂを形成してなることを特徴とする。
【０００８】
請求項３に記載の発明は、請求項１又は２に記載の戸当りにおいて、たとえば以下に示す図示実施の形態のとおり、前記第１突起５５は、先端縁に、前記板カム３５の第２係合部３５ｂが係合すると、該板カム３５が傾く向きに突出長さを次第に短くしてテーパ部分５５を形成してなることを特徴とする。
【発明の効果】
【０００９】
請求項１に記載の発明によれば、開き戸を全開位置にロックする場合、開き戸を押し込むと、掛止受具で可動ピースを付勢ばねに抗し奥側に後退させて後端部に押し当て、第２係合部を第１突起に係合して板カムを傾動し、予め第１係合部がカム案内溝のカム係合溝部に向いた傾き状態にする一方、カム穴に通して移動する支軸の支持高さに応じ、カムレバーが上段高さ位置からフック部を掛止受具上に乗せた下段の高さ位置に下降し、しかる後、すぐに開き戸を引き戻すと、可動ピースが付勢ばねの付勢力で押し戻され、第１係合部がカム係合溝部に係合して傾動し、第２係合部がカム当接溝部に当接して板カムを両溝側壁間に引っ掛ったロック状態にして可動ピースをロック位置に固持し、他方、開き戸の引き戻しに従い、閉方向に移動する途中で掛止受具上に乗ったカムレバーのフック部が係合穴に係合して開き戸をロックする。ロックを解除する場合も、先ずは全開位置でロック状態の開き戸を押し込む。すると、掛止受具で可動ピースを付勢ばねに抗し奥側に後退させて後端部に押し当て、第２係合部を第１突起に当接して板カムを傾動し、一方のカム側縁を第１突起と第２突起の双方に当接させて、予めカム案内溝の溝幅方向と平行で真っ直ぐな状態にする一方、カム穴に通して移動する支軸の支持高さに応じ、カムレバーを、フック部が掛止受具上に乗った下段の高さ位置に保持する一方、開き戸の押し込みに従い、開方向に移動する途中で掛止受具上に乗ったカムレバーのフック部が係合穴からすり抜けて外れ、しかる後、すぐに開き戸を引き戻し、すると、可動ピースが付勢ばねの付勢力で押し戻されて、板カムの他方のカム側縁がカム係合溝部に当接して板カムが反転してから、カム案内溝の長さ方向前方へ移動し、第２係合部側の端部がカム嵌合溝部に嵌り込んだロック待機位置に戻って保持される一方、フック部が係合穴から外れた状態で掛止受具上に乗ったカムレバーが、カム穴に通して移動する支軸の支持高さに応じて、上段高さ位置に上昇すると共に、開き戸の引き戻しに従って閉方向へ移動して掛止受具からフック部を離隔させて開き戸のロックを解除する。従って、本発明の戸当りは、以上のようにして足で踏んで操作したり屈んで手で操作したりせずとも、立ったまま開き戸を全開位置で押し込んだり引き戻したりする簡単な操作を行うだけで、開き戸Ｄを全開位置にロックしたりロックを解除したりすることができる。
【００１０】
請求項２に記載の発明よれば、板カムは、長さ方向両端をＶ形の凹状に切り欠いて、一端に第１係合部を形成する一方、他端に第２係合部を形成するため、開き戸を全開位置で押し込んだとき、第２係合部が第１突起のテーパ部分に的確に精度よく係合し、常に安定して係合地点を支点に傾動することができ、また、開き戸を引き戻すときでも、第１係合部がカム案内溝の溝側壁の一側でカム係合溝部に的確に精度よく係合し、この場合も、常に安定して係合地点を支点に傾動することができ、これにより、開き戸を確実に且つスムーズに全開位置にロックしたりロックを解除したりすることができる。
【００１１】
請求項３に記載の発明よれば、ロック装置において、第１突起は、先端縁に、板カムの第２係合部が係合すると、板カムが傾く向きに突出長さを次第に短くしてテーパ部分を形成しているため、開き戸を全開位置で押し込んだとき、板カムの第２係合部が第１突起のテーパ部分と係合すると、常に安定して板カムを係合地点を支点として傾動させることができ、これにより、開き戸を確実に且つスムーズに全開位置でロックしたりロックを解除したりすることができる。
【発明を実施するための最良の形態】
【００１２】
以下、図面を参照しつつ、本発明の実施の最良形態について説明する。
【００１３】
図１は、本発明の一例である戸当りの内部構造を示す断面図、図２は、本発明の戸当りを適用した扉構造体を扉閉状態で示す斜視図、図３は、本発明の戸当りを適用した扉構造体を全開状態で示す斜視図、図４は、本発明の戸当りを設置状態において示す斜視図である。扉構造体は、図２および図３に示すように、床Ｆと、左右の縦枠１０・１１と上枠１２からなる矩形な戸枠Ｂと、縦枠１１にピボットヒンジ型の上下ヒンジＨ１・Ｈ２で回動自在に組み付けた開き戸Ｄとで構成されている。なお、開き戸Ｄのヒンジ側には、図中手前側に開口部Ｓと直角な向きに壁Ｗが立設されている。
【００１４】
図示扉構造体において、本発明の戸当りは、床Ｆ側に設置する戸当り本体Ａと、開き戸Ｄ側に設置するロック装置Ｒとで構成される。
【００１５】
戸当り本体Ａは、円形状の金属製薄板からなる取付座１５と、鉄やスチール等の磁性体からなる掛止受具２０とで構成される。取付座１５は、表面に掛止受具２０の形状に合わせて収納凹部１５ａを形成してなる。掛止受具２０は、先端部２０ａに係合穴１６をあけた長方形状の磁性プレートで、基端部を収納凹部１５ａの端縁に枢支して取付座１５に揺動自在に取り付けている。戸当り本体Ａは、開き戸Ｄの下ヒンジＨ２側と反対側の下隅角部１４の回動軌跡上にあって、全開位置に取付座１５を床面ｆ上にねじ止めする。開き戸Ｄが全開位置にないとき、即ち、戸当りの不使用時は、掛止受具２０が収納凹部１５ａに嵌り込んで取付座１５と面一に納まり、歩行や掃除の邪魔にならないように、床面ｆから殆んど出っ張らない平面的な構造になっている。
【００１６】
一方、ロック装置Ｒは、図５に示すように、開き戸Ｄに固定するガイドケース２５と、ガイドケース２５にそれぞれ内設する、矩形板片状の一対の磁石ｍと、可動ピース３０と、可動ピース３０に連結する板カム３５およびカムレバー４０と、可動ピース３０を付勢する圧縮コイルばねの付勢ばね４５とを備えて構成してなる。
【００１７】
ガイドケース２５は、ケース本体１８と裏蓋１９とからなる。ケース本体１８は、金属製で、開き戸Ｄに固定する側の後端部を大きく凸形に開口し、そこに部品組込口２１を設けると共に部品組込口２１の両側に対称な取付耳部１８ａを突設してなる。
【００１８】
ケース本体１８は、後端側の部品組込口２１と真向かいで手前側の前端部を、鼻形状に突設し、図１に示すように、内側に、カムレバー４０の先端側の形状に合わせて断面く状の内壁面を形成し、そこにカムレバー４０が上下に昇降するのを案内するレバーガイド部１８ｂを設ける。レバーガイド部１８ｂには、その下側に、部品組込口２１と平行な向きにレバーガイド面１３を形成している。レバーガイド面１３には、一対のストッパねじ１７を、頭部を部品組込口２１側に向けてねじ込んでなる。そして、レバーガイド部１８ｂの図中下端の鼻先には、カムレバー４０の先端に有するフック部４０ａが出入りするフック出入口２２を設け、フック出入口２２と隣接する底部１８ｃ側に、掛止受具２０の先端部２０ａが差し込まれる差込口２３を開けてなる。レバーガイド部１８ｂには、図中下端の鼻先側にフック出入口２２を挟んだ両側に磁石取付棚部１８ｄを設け、磁石取付棚部１８ｄに磁石ｍを固着している。ケース本体１８には、図５に示すように、部品組込口２１から差込口２３の間において、幅方向両側の内側壁に可動ピース３０を長さ方向前後に進退可能に案内するガイドレール凹部１８ｅを、可動ピース３０の外形状に合わせて凹設してなる。
【００１９】
更に、ケース本体１８の底部１８ｃ上には、部品組込口２１と差込口２３の間の前後方向に長手のカム案内溝５０を凹設している。カム案内溝５０は、図１示すように、差込口２３側に板カム３５の板幅に対応した溝幅のカム嵌合溝部５０ａを設け、カム嵌合溝部５０ａの長さ方向奥側で向かい合う溝側壁の一側に、溝幅を一段広げて角付けして段状をなすカム係合溝部５０ｂを設け、他側には、板カム３５の第１係合部３５ａがカム係合溝部５０ｂに係合したときに第２係合部３５ｂが当接して板カム３５の回転を規制するカム当接溝部５０ｃを設けてなる。
【００２０】
裏蓋１９は、樹脂製の平板材からなり、図１および図５に示すように、部品組込口２１の開口形状に合わせて外形が凸形板状に一体成形し、内側板面１９ａの下端に間隔をあけて、第１突起５５と第２突起５６を内側板面１９ａから直角に突設してなる。第１突起５５は、略矩形の板片状をなし、先端縁が、板カム３５の第２係合部３５ｂが係合すると板カム３５が傾く向きに、即ち、第２突起５６側とは反対の蓋縁側に向けて次第に突出長さを短くしてテーパ部分５５ａを形成してなる。第２突起５６は、第１突起５５と同じ突出長さの矩形板状に形成してなる。
【００２１】
更に、裏蓋１９は、内側板面１９ａに、上端側にカムレバー４０の尾部４０ｂが上下に昇降する時に通過する隙間を間にあけて、両側に一対のガイド凸部３１を突設し、ガイド凸部３１と第１および第２突起５５・５６間に、ばね掛け凸部３２を突設してなる。
【００２２】
可動ピース３０は、樹脂で一体成形し、本体部３０ａの下端に軸受穴３３を設ける一方、上端に軸挿通穴３４を有する一対の支持凸部３０ｂ・３０ｂを設け、前端面には、差込口２３から差し込まれる掛止受具２０の先端部２０ａが突き当たる突当段部３０ｃを凹設し、反対の後端面にばね受け穴３８を穿設してなる。
【００２３】
板カム３５は、樹脂製で、カム本体部３６上に中心軸部３７を立設してなる。カム本体部３６は、長さ方向両端をＶ形の凹状に切り欠いて一端に第１係合部３５ａを形成する一方、他端に第２係合部３５ｂを形成してなる。そこで、板カム３５は、中心軸部３７を可動ピース３０の軸受穴３３に挿着して回転自在に可動ピース３０の下端に枢支してなる。
【００２４】
カムレバー４０は、金属板からなり、鼻形に延びる先端に掛止受具２０の係合穴１６に係合する爪状のフック部４０ａを設け、長さ方向に細いカム穴６０を穿設している。カム穴６０は、先端のフック部４０ａ側の横長な下段穴部６０ａと、基端側の横長な上段穴部６０ｂと、上下穴部６０ａ・６０ｂ間を傾斜して結ぶ傾斜穴部６０ｃからなる。カムレバー４０は、支持凸部３０ｂの軸挿通穴３４に通す支軸２９をカム穴６０に挿通して可動ピース３０で支持し、支軸２９のカム穴６０に対する挿通位置に応じて下段穴部６０ａと上段穴部６０ｂとの間を上下して支持高さ位置を可変に可動ピース３０に連結してなる。
【００２５】
そこで、ロック装置Ｐは、板カム３５とカムレバー４０を付設した可動ピース３０を、カムレバー４０のフック部４０ａが前向きの状態で、部品組込口２１から入れて両側側部をガイドレール凹部１８ｅに係合させてガイドケース２５内に組み込み、板カム３５をカム案内溝５０に係合させる。それから、付勢ばね４５の一端をばね受け穴３８に入れて装着する一方、他端を裏蓋１９のばね掛け凸部３２に掛け止め、次いで、裏蓋１９を、部品組込口２１に嵌め付けてから後端部にねじ止めして組み立ててなる。すると、図１に示すように、付勢ばね４５で可動ピース３０が手前の差込口２３側に付勢される一方、前端面をストッパねじ１７の頭部に当てて止めた状態で、可動ピース３０をガイドケース２５内で保持する。板カム３５は、第１係合部３５ａ側の端部がカム案内溝５０の長さ方向前側の前溝壁に突き当ってカム嵌合溝部５０ａに嵌合したロック待機位置で保持される。一方で、カムレバー４０は、手前側のレバーガイド部１８ｂのレバーガイド面１３と、奥側の裏蓋１９の内側板面１９ａと間で挟んで、上下方向に昇降自在に保持してなる。なお、カムレバー４０は、組立状態では、ガイドケース２５内において、支軸２９がカム穴６０の下段穴部６０ａに挿通しているため、最も上段のロック待機位置に保持される。そして、ロック装置Ｒは、図４に示すように、開き戸Ｄの下隅角部１４において、戸当り本体Ａのドア板面６５に取付耳部１８ａをねじ止めして開き戸Ｄに固定する。
【００２６】
さて、図示実施例において、図２に示すように閉止状態の開き戸Ｄを開いて、図３に示すように全開し、本発明の戸当りで全開位置にロックする場合は、図６（Ａ）に示すように開き戸Ｄを開方向Ｘに回動して戸当り本体Ａを設置した全開位置に近づける。そして、図６（Ｂ）に示すように、ロック装置Ｒの磁石ｍが戸当り本体Ａの上に至ると、磁石ｍで掛止受具２０を吸着し、斜めに起立させた状態で保持する。
【００２７】
次いで、開き戸Ｄを、全開位置において、更に一段、開方向Ｘの壁Ｗ寄りへ押し込む。すると、図６（Ｃ）に示すように、掛止受具２０の先端部２０ａが差込口２３を通ってガイドケース２５内に差し込まれ、突当段部３０ｃに突き当たって可動ピース３０をガイドレール凹部１８ｅの案内で後方の奥側へ付勢ばね４５に抗して後退させ、いったん裏蓋１９の内側板面１９ａに押し当てた状態にする。このとき、板カム３５は、図１（Ｂ）に示すように、第１係合部３５ａがカム案内溝５０のカム嵌合溝部５０ａに嵌り込んだロック待機位置から、可動ピース３０と共にカム案内溝５０の長さ方向奥側へ移動し、図７（Ａ２）に示すように、第２係合部３５ｂが第１突起５５のテーパ部分５５ａと係合する。すると、板カム３５は、係合地点を支点として図中反時計方向に傾動し、第１係合部３５ａがカム係合溝部５０ｂに向いた傾き状態になる。このとき、カムレバー４０は、図１（Ａ）に示すように、可動ピース３０が奥側に後退するに従って、支軸２９がカム穴６０の下段穴部６０ａから、図７（Ａ１）に示すように傾斜穴部６０ｃを通過して上段穴部６０ｂに移動し、この支軸２９の移動に応じて、逆に支持高さ位置が上段高さ位置から下段高さ位置まで下降し、フック部４０ａが掛止受具２０上に乗って先端を突き当てた状態になっている。
【００２８】
それから、すぐに押し込みを解除し、図６（Ｄ）に示すように開き戸Ｄを閉方向Ｙに引き戻す。すると、可動ピース３０が付勢ばね４５の付勢力でガイドレール凹部１８ｅに沿って手前の差込口２３側へ押し戻される。すると同時に、板カム３５は、図７（Ａ２）で示した第１係合部３５ａがカム係合溝部５０ｂに向いた傾き状態のまま、カム案内溝５０の長さ方向前方へ移動してから、図７（Ｂ２）に示すように、第１係合部３５ａが溝側壁の一側でカム係合溝部５０ｂに係合し、その係合地点を支点として図中反時計方向に傾動して第２係合部３５ｂを溝側壁の他側でカム当接溝部５０ｃに当接し、両側壁間に引っ掛ってロック状態になり、可動ピース３０を、図７（Ｂ１）に示すようにロック位置で固持する。カムレバー４０は、可動ピース３０が押し戻されるに従い、支軸２９が同じ上段穴部６０ｂ内を前方の傾斜穴部６０ｃ側へ移動するに止まり、フック部２０ａが掛止受具２０上に乗った下段の高さ位置で保持される一方、開き戸Ｄの引き戻しに従い、閉方向Ｙに移動する途中で掛止受具２０上に乗ったフック部４０ａが係合穴１６に係合して開き戸Ｄをロックする。
【００２９】
さて、反対に、全開位置にロックした開き戸Ｄを閉止するために、本発明の戸当りでロックを解除する場合も、先ずは、全開位置でロック状態の開き戸Ｄを開方向Ｘの壁Ｗ寄りへ押し込む。すると、図８（Ａ）に示すように、掛止受具２０の先端部２０ａが突当段部３０ｃに突き当って可動ピース３０を後方の奥側へ付勢ばね４５に抗し後退させて、裏蓋１９の内側板面１９ａに押し当てた状態にする。このとき、板カム３５は、第１係合部３５ａがカム係合溝部５０ｂに係合して傾いた状態で、可動ピース３０と共にカム案内溝５０の長さ方向後方の奥側へ移動して後、第２係合部３５ｂが第１突起５５のテーパ部分５５ａに当接し、その当接地点を支点に図中反時計方向に傾動し、図９（Ａ２）に示すように、一方のカム側縁３５ｃが第１ガイド突起５５と第２突起５６の双方に当接し、いったんカム案内溝５０の溝幅方向と平行に真っ直ぐな状態になる。一方、カムレバー４０は、可動ピース３０が奥側に後退するに従い、図９（Ａ１）に示すように支軸２９が同じ上段穴部６０ｂ内を後方奥側へ移動するに止まり、フック部４０ａを掛止受具２０上に乗せた下段の高さ位置のまま保持される一方で、開き戸Ｄの押し込みに従い、開方向Ｘに移動する途中で、掛止受具２０上に乗ったフック部４０ａが係合穴１６からすり抜けて外れる。
【００３０】
しかる後、すぐに開き戸Ｄを、図８（Ｂ）に示すように閉方向Ｙに引き戻す。すると、可動ピース３０が付勢ばね４５の付勢力で手前の差込口２３側へ押し戻される。すると同時に、板カム３５は、図９（Ａ２）で示した横に真っ直ぐな状態のままカム案内溝５０の長さ方向前方へ移動し、図９（Ｂ２）に示すように、他方のカム側縁３５ｄがカム係合溝部５０ｂの角縁に当たり、その当接地点を支点に図中反時計方向に反転してから、カム案内溝５０の長さ方向前方へ移動し、今度は、第２係合部３５ｂ側の端部がカム嵌合溝部５０ａに嵌り込んだロック待機位置に戻って保持される（図１（Ｂ）参照）。一方、カムレバー４０は、可動ピース３０が押し戻されるに従い、図９（Ｂ１）に示すように、支軸２９が上段穴部６０ｂ内を前方の傾斜穴部６０ｃ側へ移動してから、傾斜穴部６０ｃを経て、図１（Ａ）に示す如く下段穴部６０ａに移動することにより、逆に支軸２９による支持高さ位置が上段の高さ位置へ上昇すると共に、開き戸Ｄの引き戻しに従い閉方向Ｙへ移動して掛止受具２０からフック部４０ａを離隔させて開き戸のロックを解除する。
【００３１】
従って、本発明の図示戸当りは、以上のようにして足で踏んで操作したり屈んで手で操作したりせずとも、立ったまま開き戸Ｄを全開位置で押し込んだり引き戻したりする簡単な操作で、開き戸Ｄを全開位置にロックしたり、ロックを解除したりすることができる。
【図面の簡単な説明】
【００３２】
【図１】（Ａ）は本発明の一例である戸当りの内部構造を示す縦断面図、（Ｂ）は横断面図である。
【図２】本発明の戸当りを適用した扉構造体を扉閉状態で示す斜視図である。
【図３】本発明の戸当りを適用した扉構造体を全開状態で示す斜視図である。
【図４】本発明の戸当りを設置状態において示す斜視図である。
【図５】ロック装置の分解斜視図である。
【図６】本発明の戸当りで開き戸を開いて全開位置にロックする動作を段階的に示す縦断面図である。
【図７】（Ａ１）・（Ｂ１）は開き戸を全開位置でロックする場合において、ロック装置の作動状態を段階的に示す縦断面図、（Ａ２）・（Ｂ２）は横断面図である。
【図８】本発明の戸当りで開き戸のロックを解除する動作を段階的に示す縦断面図である。
【図９】（Ａ１）・（Ｂ１）は開き戸のロックを解除する場合において、ロック装置の作動状態を段階的に示す縦断面図、（Ａ２）・（Ｂ２）は横断面図である。
【図１０】従来の戸当りを示す斜視図である。
【図１１】従来の戸当りのロック装置を示す縦断面図である
【符号の説明】
【００３３】
Ａ              戸当り本体
Ｄ              開き戸
Ｆ              床
Ｒ              ロック装置
Ｓ              開口部
ｆ              床面
ｍ              磁石
１５            取付座
１６            係合穴
２０            掛止受具
２３            差込口
２５            ガイドケース
２９            支軸
３０            可動ピース
３５            板カム
３５ａ          第１係合部
３５ｂ          第２係合部
３５ｃ          一方のカム側縁
３５ｄ          他方のカム側縁
４０            カムレバー
４０ａ          フック部
４５            付勢ばね
５０            カム案内溝
５０ａ          カム嵌合溝部
５０ｂ          カム係合溝部
５０ｃ          カム当接溝部
６０            カム穴
６０ａ          下段穴部
６０ｂ          上段穴部
６０ｃ          傾斜穴部
【図１】
2010101075.tif 000003
【図２】
2010101075.tif 000004
【図３】
2010101075.tif 000005
【図４】
2010101075.tif 000006
【図５】
2010101075.tif 000007
【図６】
2010101075.tif 000008
【図７】
2010101075.tif 000009
【図８】
2010101075.tif 000010
【図９】
2010101075.tif 000011
【図１０】
2010101075.tif 000012
【図１１】
2010101075.tif 000013